【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
無線アクセスネットワーク（ＲＡＮ）輻輳におけるエクスペリエンス品質（ＱｏＥ）を改善するための方法であって、
ＲＡＮから、利用可能な品質制御インジケータ（ＱＣＩ）を示す輻輳ポリシー情報を受信することと、
前記利用可能なＱＣＩから、ベアラ上で前記ＲＡＮと通信する、ユーザ機器（ＵＥ）で実行する複数のアプリケーションの各々についてのＱＣＩを選択することと、
前記ＵＥによって前記ＲＡＮに、前記複数のアプリケーションの各々についての前記ＱＣＩを示すことと、
前記ＵＥにおいて、前記ＱＣＩに基づいて前記ベアラまたは追加のベアラの変更に関する情報を受信することと、
前記ＵＥで実行する前記複数のアプリケーションのうちの少なくとも１つについての所望のＱｏＥを達成するために前記情報に従って前記ＵＥにおいて前記ベアラまたは追加のベアラを変更することとを備える、方法。
【請求項２】
前記ＵＥによって、前記ＲＡＮにおいて高負荷を検出することであって、前記複数のアプリケーションの各々についての前記ＱＣＩを前記示すことが、前記高負荷を前記検出することに部分的に基づく、検出することをさらに備える、請求項１に記載の方法。
【請求項３】
前記高負荷を前記検出することが、前記複数のアプリケーションのうちの少なくとも１つのアプリケーションについてのＱｏＥの劣化を検出することを備える、請求項２に記載の方法。
【請求項４】
ＱｏＥの前記劣化を前記検出することが、しきい値を下回る前記少なくとも１つのアプリケーションについてのデータレートを判断すること、あるいはユーザまたはアプリケーション入力から前記劣化の指示を受信することを備える、請求項３に記載の方法。
【請求項５】
前記示すことが、前記少なくとも１つのアプリケーションにおけるＱｏＥを改善するために、前記複数のアプリケーションのうちの少なくとも別のアプリケーションについてよりも前記少なくとも１つのアプリケーションについての方が高いとして前記ＱＣＩを示すことを備える、請求項３に記載の方法。
【請求項６】
前記高負荷を前記検出することが、前記ＲＡＮから前記高負荷の指示を受信することを備える、請求項２に記載の方法。
【請求項７】
前記複数のアプリケーションの各々についての前記ＱＣＩを初期化することであって、前記複数のアプリケーションの各々についての前記ＱＣＩを前記示すことが、前記高負荷を前記検出することに基づいて初期化されるとき前記複数のアプリケーションの各々についての前記ＱＣＩを更新することを備える、初期化することをさらに備える、請求項２に記載の方法。
【請求項８】
無線アクセスネットワーク（ＲＡＮ）輻輳におけるエクスペリエンス品質（ＱｏＥ）を改善するための装置であって、
ＲＡＮから、利用可能な品質制御インジケータ（ＱＣＩ）を示す輻輳ポリシー情報を受信することと、
前記利用可能なＱＣＩから、ベアラ上で前記ＲＡＮと通信する、前記装置で実行する複数のアプリケーションの各々についてのＱＣＩを選択することと、
前記装置によって前記ＲＡＮに、前記複数のアプリケーションの各々についての前記ＱＣＩを示すことと、
前記装置において、前記ＱＣＩに基づいて前記ベアラまたは追加のベアラの変更に関する情報を受信することと、
前記装置で実行する前記複数のアプリケーションのうちの少なくとも１つについての所望のＱｏＥを達成するために前記情報に従って前記装置において前記ベアラまたは追加のベアラを変更することと
を行うように構成された処理システムと、
前記処理システムに結合されたメモリとを備える、装置。
【請求項９】
前記処理システムが、前記装置によって前記ＲＡＮにおいて高負荷を検出するようにさらに構成され、前記処理システムが、前記高負荷を前記検出することに部分的に基づいて前記複数のアプリケーションの各々についての前記ＱＣＩを示す、請求項８に記載の装置。
【請求項１０】
前記処理システムが、部分的に、前記複数のアプリケーションのうちの少なくとも１つのアプリケーションについてのＱｏＥの劣化を検出することによって前記高負荷を検出する、請求項９に記載の装置。
【請求項１１】
前記処理システムが、少なくとも部分的に、しきい値を下回る前記少なくとも１つのアプリケーションについてのデータレートを判断すること、あるいはユーザまたはアプリケーション入力から前記劣化の指示を受信することによって、ＱｏＥの前記劣化を検出する、請求項１０に記載の装置。
【請求項１２】
前記処理システムが、前記少なくとも１つのアプリケーションにおけるＱｏＥを改善するために、前記複数のアプリケーションのうちの少なくとも別のアプリケーションについてよりも前記少なくとも１つのアプリケーションについての方が高いとして前記ＱＣＩを示すようにさらに構成される、請求項１０に記載の装置。
【請求項１３】
前記処理システムが、部分的に、前記ＲＡＮから前記高負荷の指示を受信することによって前記高負荷を検出する、請求項９に記載の装置。
【請求項１４】
前記処理システムが、前記複数のアプリケーションの各々についての前記ＱＣＩを初期化するようにさらに構成され、前記処理システムは、少なくとも部分的に、前記高負荷を前記検出することに基づいて初期化されるとき前記複数のアプリケーションの各々についての前記ＱＣＩを更新することによって、前記複数のアプリケーションの各々についての前記ＱＣＩを示す、請求項９に記載の装置。
【請求項１５】
無線アクセスネットワーク（ＲＡＮ）輻輳におけるエクスペリエンス品質（ＱｏＥ）を改善するための装置であって、
ＲＡＮから、利用可能な品質制御インジケータ（ＱＣＩ）を示す輻輳ポリシー情報を受信するための手段と、
前記利用可能なＱＣＩから、ベアラ上で前記ＲＡＮと通信する、前記装置で実行する複数のアプリケーションの各々についてのＱＣＩを選択するための手段と、
前記装置によって前記ＲＡＮに、前記複数のアプリケーションの各々についての前記ＱＣＩを示すための手段と、
前記装置において、前記ＱＣＩに基づいて前記ベアラまたは追加のベアラの変更に関する情報を受信するための手段と、
前記装置で実行する前記複数のアプリケーションのうちの少なくとも１つについての所望のＱｏＥを達成するために前記情報に従って前記装置において前記ベアラまたは追加のベアラを変更するための手段とを備える、装置。
【請求項１６】
前記装置によって、前記ＲＡＮにおいて高負荷を検出するための手段をさらに備え、前記示すための手段が、前記高負荷に部分的に基づいて前記複数のアプリケーションの各々についての前記ＱＣＩを示す、請求項１５に記載の装置。
【請求項１７】
前記検出するための手段が、部分的に、前記複数のアプリケーションのうちの少なくとも１つのアプリケーションについてのＱｏＥの劣化を検出することによって前記高負荷を検出する、請求項１６に記載の装置。
【請求項１８】
前記検出するための手段が、少なくとも部分的に、しきい値を下回る前記少なくとも１つのアプリケーションについてのデータレートを判断すること、あるいはユーザまたはアプリケーション入力から前記劣化の指示を受信することによって、ＱｏＥの前記劣化を検出する、請求項１７に記載の装置。
【請求項１９】
前記示すための手段が、前記少なくとも１つのアプリケーションにおけるＱｏＥを改善するために、前記複数のアプリケーションのうちの少なくとも別のアプリケーションについてよりも前記少なくとも１つのアプリケーションについての方が高いとして前記ＱＣＩを示す、請求項１７に記載の装置。
【請求項２０】
前記検出するための手段が、部分的に、前記ＲＡＮから前記高負荷の指示を受信することによって前記高負荷を検出する、請求項１６に記載の装置。
【請求項２１】
前記複数のアプリケーションの各々についての前記ＱＣＩを初期化するための手段をさらに備え、前記示すための手段は、少なくとも部分的に、前記高負荷を前記検出することに基づいて初期化されるとき前記複数のアプリケーションの各々についての前記ＱＣＩを更新することによって、前記複数のアプリケーションの各々についての前記ＱＣＩを示す、請求項１６に記載の装置。
【請求項２２】
少なくとも１つのコンピュータに、ＲＡＮから、利用可能な品質制御インジケータ（ＱＣＩ）を示す輻輳ポリシー情報を受信させるためのコードと、
前記少なくとも１つのコンピュータに、前記利用可能なＱＣＩから、ベアラ上で前記ＲＡＮと通信する、ユーザ機器（ＵＥ）で実行する複数のアプリケーションの各々についてのＱＣＩを選択させるためのコードと、
前記少なくとも１つのコンピュータに、前記ＵＥによって前記ＲＡＮに前記複数のアプリケーションの各々についての前記ＱＣＩを示させるためのコードと、
前記少なくとも１つのコンピュータに、前記ＵＥにおいて、前記ＱＣＩに基づいて前記ベアラまたは追加のベアラの変更に関する情報を受信させるためのコードと、
前記少なくとも１つのコンピュータに、前記ＵＥで実行する前記複数のアプリケーションのうちの少なくとも１つについての所望のＱｏＥを達成するために前記情報に従って前記ＵＥにおいて前記ベアラまたは追加のベアラを変更させるためのコードと
を備える、非トランジトリなコンピュータ可読媒体。
【請求項２３】
前記少なくとも１つのコンピュータに、前記ＵＥによって前記ＲＡＮにおいて高負荷を検出させるためのコードをさらに備え、前記少なくとも１つのコンピュータに示させるための前記コードが、前記高負荷に部分的に基づいて前記複数のアプリケーションの各々についての前記ＱＣＩを示す、請求項２２に記載の非トランジトリなコンピュータ可読媒体。
【請求項２４】
前記少なくとも１つのコンピュータに検出させるための前記コードが、部分的に、前記複数のアプリケーションのうちの少なくとも１つのアプリケーションについてのＱｏＥの劣化を検出することによって前記高負荷を検出する、請求項２３に記載の非トランジトリなコンピュータ可読媒体。
【請求項２５】
前記少なくとも１つのコンピュータに検出させるための前記コードが、少なくとも部分的に、しきい値を下回る前記少なくとも１つのアプリケーションについてのデータレートを判断すること、あるいはユーザまたはアプリケーション入力から前記劣化の指示を受信することによって、ＱｏＥの前記劣化を検出する、請求項２４に記載の非トランジトリなコンピュータ可読媒体。
【請求項２６】
前記少なくとも１つのコンピュータに示させるための前記コードが、前記少なくとも１つのアプリケーションにおけるＱｏＥを改善するために、前記複数のアプリケーションのうちの少なくとも別のアプリケーションについてよりも前記少なくとも１つのアプリケーションについての方が高いとして前記ＱＣＩを示す、請求項２４に記載の非トランジトリなコンピュータ可読媒体。
【請求項２７】
前記少なくとも１つのコンピュータに検出させるための前記コードが、部分的に、前記ＲＡＮから前記高負荷の指示を受信することによって前記高負荷を検出する、請求項２３に記載の非トランジトリなコンピュータ可読媒体。
【請求項２８】
１つまたは複数のユーザ機器（ＵＥ）についてのエクスペリエンス品質（ＱｏＥ）を改善するための方法であって、
複数の利用可能な品質制御インジケータ（ＱＣＩ）を示す１つまたは複数の輻輳制御ポリシーをＵＥに通信することと、
ベアラに関係する複数のアプリケーションの各々についての前記利用可能なＱＣＩのＱＣＩを前記ＵＥから受信することと、
前記ＵＥにおけるＱｏＥを改善するために前記複数のアプリケーションの各々についての前記ＱＣＩに基づいて、前記ＵＥと通信するために前記ベアラを変更するか、または追加のベアラを追加することと、
前記ＵＥに、前記ＱＣＩに基づいて前記ベアラまたは追加のベアラの変更に関する情報を通信することと、
を備える、方法。
【請求項２９】
前記ＵＥに高負荷を示すことをさらに備え、前記複数のアプリケーションの各々についての前記ＱＣＩが、前記高負荷に応答して受信される、請求項２８に記載の方法。
【請求項３０】
１つまたは複数のユーザ機器（ＵＥ）についてのエクスペリエンス品質（ＱｏＥ）を改善するための装置であって、
複数の利用可能な品質制御インジケータ（ＱＣＩ）を示す１つまたは複数の輻輳制御ポリシーをＵＥに通信することと、
ベアラに関係する複数のアプリケーションの各々についての前記利用可能なＱＣＩのＱＣＩを前記ＵＥから受信することと、
前記ＵＥにおけるＱｏＥを改善するために前記複数のアプリケーションの各々についての前記ＱＣＩに基づいて、前記ＵＥと通信するために前記ベアラまたは追加のベアラを変更することと、
前記ＵＥに、前記ＱＣＩに基づいて前記ベアラまたは追加のベアラの変更に関する情報を通信することと、
を行うように構成された処理システムと、
前記処理システムに結合されたメモリとを備える、装置。
【請求項３１】
前記処理システムが、前記ＵＥに高負荷を示すようにさらに構成され、前記複数のアプリケーションの各々についての前記ＱＣＩが、前記高負荷に応答して受信される、請求項３０に記載の装置。
【請求項３２】
１つまたは複数のユーザ機器（ＵＥ）についてのエクスペリエンス品質（ＱｏＥ）を改善するための装置であって、
複数の利用可能な品質制御インジケータ（ＱＣＩ）を示す１つまたは複数の輻輳制御ポリシーをＵＥに通信するための手段と、
ベアラに関係する複数のアプリケーションの各々についての前記利用可能なＱＣＩからのＱＣＩを前記ＵＥから受信するための手段と、
前記ＵＥにおけるＱｏＥを改善するために前記複数のアプリケーションの各々についての前記ＱＣＩに基づいて、前記ＵＥと通信するために前記ベアラを変更するか、または追加のベアラを追加するための手段と、
前記ＵＥに、前記ＱＣＩに基づいて前記ベアラまたは追加のベアラの変更に関する情報を通信するための手段と、
を備える、装置。
【請求項３３】
前記ＵＥに高負荷を示すための手段をさらに備え、前記複数のアプリケーションの各々についての前記ＱＣＩが、前記高負荷に応答して受信される、請求項３２に記載の装置。
【請求項３４】
少なくとも１つのコンピュータに、複数の利用可能な品質制御インジケータ（ＱＣＩ）を示す１つまたは複数の輻輳制御ポリシーをＵＥに通信させるためのコードと、
前記少なくとも１つのコンピュータに、ベアラに関係する複数のアプリケーションの各々についての前記利用可能なＱＣＩからのＱＣＩを前記ＵＥから受信させるためのコードと、
前記少なくとも１つのコンピュータに、前記ＵＥにおけるＱｏＥを改善するために前記複数のアプリケーションの各々についての前記ＱＣＩに基づいて、前記ＵＥと通信するために前記ベアラまたは追加のベアラを変更させるためのコードと、
前記少なくとも１つのコンピュータに、前記ＵＥに、前記ＱＣＩに基づいて前記ベアラまたは追加のベアラの変更に関する情報を通信させるためのコードと、
を備える、非トランジトリなコンピュータ可読媒体。
【請求項３５】
前記少なくとも１つのコンピュータに、前記ＵＥに高負荷を示させるためのコードをさらに備え、前記複数のアプリケーションの各々についての前記ＱＣＩが、前記高負荷に応答して受信される、請求項３４に記載の非トランジトリなコンピュータ可読媒体。
【手続補正２】
【補正対象書類名】明細書
【補正対象項目名】００８８
【補正方法】変更
【補正の内容】
【００８８】
[0096]  上記の開示は、例示的な態様および／または実施形態について論じたが、添付の特許請求の範囲によって定義された説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［Ｃ１］
無線アクセスネットワーク（ＲＡＮ）輻輳におけるエクスペリエンス品質（ＱｏＥ）を改善するための方法であって、
ベアラ上でＲＡＮと通信する複数のアプリケーションの各々についての品質制御インジケータ（ＱＣＩ）を示すことと、
前記ＱＣＩに基づいて前記ベアラまたは追加のベアラの変更に関する情報を受信することと、
前記複数のアプリケーションのうちの少なくとも１つについての所望のＱｏＥを達成するために前記情報に従って前記ベアラまたは追加のベアラを変更することとを備える、方法。
［Ｃ２］
前記ＲＡＮから、利用可能なＱＣＩを示す輻輳ポリシー情報を受信することと、
前記利用可能なＱＣＩから前記複数のアプリケーションの各々についての前記ＱＣＩを選択することとをさらに備える、Ｃ１に記載の方法。
［Ｃ３］
前記ＲＡＮにおいて高負荷を検出することであって、前記複数のアプリケーションの各々についての前記ＱＣＩを前記示すことが、前記高負荷を前記検出することに部分的に基づく、検出することをさらに備える、Ｃ１に記載の方法。
［Ｃ４］
前記高負荷を前記検出することが、前記複数のアプリケーションのうちの少なくとも１つのアプリケーションについてのＱｏＥの劣化を検出することを備える、Ｃ３に記載の方法。
［Ｃ５］
ＱｏＥの前記劣化を前記検出することが、しきい値を下回る少なくとも１つのアプリケーションについてのデータレートを判断すること、あるいはユーザまたはアプリケーション入力から前記劣化の指示を受信することを備える、Ｃ４に記載の方法。
［Ｃ６］
前記示すことが、前記少なくとも１つのアプリケーションにおけるＱｏＥを改善するために、前記複数のアプリケーションのうちの少なくとも別のアプリケーションについてよりも前記少なくとも１つのアプリケーションについて高いＱＣＩを示すことを備える、Ｃ４に記載の方法。
［Ｃ７］
前記高負荷を前記検出することが、前記ＲＡＮから前記高負荷の指示を受信することを備える、Ｃ３に記載の方法。
［Ｃ８］
前記複数のアプリケーションの各々についての前記ＱＣＩを初期化することであって、前記複数のアプリケーションの各々についての前記ＱＣＩを前記示すことが、前記高負荷を前記検出することに基づいて初期化されるとき前記複数のアプリケーションの各々についての前記ＱＣＩを更新することを備える、初期化することをさらに備える、Ｃ３に記載の方法。
［Ｃ９］
無線アクセスネットワーク（ＲＡＮ）輻輳におけるエクスペリエンス品質（ＱｏＥ）を改善するための装置であって、
ベアラ上でＲＡＮと通信する複数のアプリケーションの各々についての品質制御インジケータ（ＱＣＩ）を示すことと、
前記ＱＣＩに基づいて前記ベアラまたは追加のベアラの変更に関する情報を受信することと、
前記複数のアプリケーションのうちの少なくとも１つについての所望のＱｏＥを達成するために前記情報に従って前記ベアラまたは追加のベアラを変更することと
を行うように構成された処理システムと、
前記処理システムに結合されたメモリとを備える、装置。
［Ｃ１０］
前記処理システムが、
前記ＲＡＮから、利用可能なＱＣＩを示す輻輳ポリシー情報を受信することと、
前記利用可能なＱＣＩから前記複数のアプリケーションの各々についての前記ＱＣＩを選択することとを行うようにさらに構成された、Ｃ９に記載の装置。
［Ｃ１１］
前記処理システムが、前記ＲＡＮにおいて高負荷を検出するようにさらに構成され、前記処理システムが、前記高負荷を前記検出することに部分的に基づいて前記複数のアプリケーションの各々についての前記ＱＣＩを示す、Ｃ９に記載の装置。
［Ｃ１２］
前記処理システムが、部分的に、前記複数のアプリケーションのうちの少なくとも１つのアプリケーションについてのＱｏＥの劣化を検出することによって前記高負荷を検出する、Ｃ１１に記載の装置。
［Ｃ１３］
前記処理システムが、部分的に、前記ＲＡＮから前記高負荷の指示を受信することによって前記高負荷を検出する、Ｃ１１に記載の装置。
［Ｃ１４］
無線アクセスネットワーク（ＲＡＮ）輻輳におけるエクスペリエンス品質（ＱｏＥ）を改善するための装置であって、
ベアラ上でＲＡＮと通信する複数のアプリケーションの各々についての品質制御インジケータ（ＱＣＩ）を示すための手段と、
前記ＱＣＩに基づいて前記ベアラまたは追加のベアラの変更に関する情報を受信するための手段と、
前記複数のアプリケーションのうちの少なくとも１つについての所望のＱｏＥを達成するために前記情報に従って前記ベアラまたは追加のベアラを変更するための手段とを備える、装置。
［Ｃ１５］
前記示すための手段が、前記ＲＡＮから、利用可能なＱＣＩを示す輻輳ポリシー情報を受信し、前記利用可能なＱＣＩから前記複数のアプリケーションの各々についての前記ＱＣＩを選択する、Ｃ１４に記載の装置。
［Ｃ１６］
前記ＲＡＮにおいて高負荷を検出するための手段をさらに備え、前記示すための手段が、前記高負荷に部分的に基づいて前記複数のアプリケーションの各々についての前記ＱＣＩを示す、Ｃ１４に記載の装置。
［Ｃ１７］
前記検出するための手段が、部分的に、前記複数のアプリケーションのうちの少なくとも１つのアプリケーションについてのＱｏＥの劣化を検出することによって前記高負荷を検出する、Ｃ１６に記載の装置。
［Ｃ１８］
前記検出するための手段が、部分的に、前記ＲＡＮから前記高負荷の指示を受信することによって前記高負荷を検出する、Ｃ１６に記載の装置。
［Ｃ１９］
無線アクセスネットワーク（ＲＡＮ）輻輳におけるエクスペリエンス品質（ＱｏＥ）を改善するためのコンピュータプログラム製品であって、
少なくとも１つのコンピュータに、ベアラ上でＲＡＮと通信する複数のアプリケーションの各々についての品質制御インジケータ（ＱＣＩ）を示させるためのコードと、
前記少なくとも１つのコンピュータに、前記ＱＣＩに基づいて前記ベアラまたは追加のベアラの変更に関する情報を受信させるためのコードと、
前記少なくとも１つのコンピュータに、前記複数のアプリケーションのうちの少なくとも１つについての所望のＱｏＥを達成するために前記情報に従って前記ベアラまたは追加のベアラを変更させるためのコードと
を備える、コンピュータ可読媒体を備える、コンピュータプログラム製品。
［Ｃ２０］
前記コンピュータ可読媒体が、
前記少なくとも１つのコンピュータに、前記ＲＡＮから、利用可能なＱＣＩを示す輻輳ポリシー情報を受信させるためのコードと、
前記少なくとも１つのコンピュータに、前記利用可能なＱＣＩから前記複数のアプリケーションの各々についての前記ＱＣＩを選択させるためのコードとをさらに備える、Ｃ１９に記載のコンピュータプログラム製品。
［Ｃ２１］
前記コンピュータ可読媒体が、前記少なくとも１つのコンピュータに、前記ＲＡＮにおいて高負荷を検出させるためのコードをさらに備え、前記少なくとも１つのコンピュータに示させるための前記コードが、前記高負荷に部分的に基づいて前記複数のアプリケーションの各々についての前記ＱＣＩを示す、Ｃ１９に記載のコンピュータプログラム製品。
［Ｃ２２］
前記少なくとも１つのコンピュータに検出させるための前記コードが、部分的に、前記複数のアプリケーションのうちの少なくとも１つのアプリケーションについてのＱｏＥの劣化を検出することによって前記高負荷を検出する、Ｃ２１に記載のコンピュータプログラム製品。
［Ｃ２３］
前記少なくとも１つのコンピュータに検出させるための前記コードが、部分的に、前記ＲＡＮから前記高負荷の指示を受信することによって前記高負荷を検出する、Ｃ２１に記載のコンピュータプログラム製品。
［Ｃ２４］
１つまたは複数のユーザ機器（ＵＥ）についてのエクスペリエンス品質（ＱｏＥ）を改善するための方法であって、
ＵＥから、ベアラに関係する複数のアプリケーションの各々についての品質制御インジケータ（ＱＣＩ）を受信することと、
前記ＵＥにおけるＱｏＥを改善するために前記複数のアプリケーションの各々についての前記ＱＣＩに基づいて、前記ＵＥと通信するために前記ベアラを変更するか、または追加のベアラを追加することとを備える、方法。
［Ｃ２５］
複数の利用可能なＱＣＩを示す１つまたは複数の輻輳制御ポリシーを前記ＵＥに通信することをさらに備える、Ｃ２４に記載の方法。
［Ｃ２６］
前記ＵＥに高負荷を示すことをさらに備え、前記複数のアプリケーションの各々についての前記ＱＣＩが、前記高負荷に応答して受信される、Ｃ２４に記載の方法。
［Ｃ２７］
１つまたは複数のユーザ機器（ＵＥ）についてのエクスペリエンス品質（ＱｏＥ）を改善するための装置であって、
ＵＥから、ベアラに関係する複数のアプリケーションの各々についての品質制御インジケータ（ＱＣＩ）を受信することと、
前記ＵＥにおけるＱｏＥを改善するために前記複数のアプリケーションの各々についての前記ＱＣＩに基づいて、前記ＵＥと通信するために前記ベアラまたは追加のベアラを変更することと
を行うように構成された処理システムと、
前記処理システムに結合されたメモリとを備える、装置。
［Ｃ２８］
前記処理システムが、複数の利用可能なＱＣＩを示す１つまたは複数の輻輳制御ポリシーを前記ＵＥに通信するようにさらに構成された、Ｃ２７に記載の装置。
［Ｃ２９］
前記処理システムが、前記ＵＥに高負荷を示すようにさらに構成され、前記複数のアプリケーションの各々についての前記ＱＣＩが、前記高負荷に応答して受信される、Ｃ２７に記載の装置。
［Ｃ３０］
１つまたは複数のユーザ機器（ＵＥ）についてのエクスペリエンス品質（ＱｏＥ）を改善するための装置であって、
ＵＥから、ベアラに関係する複数のアプリケーションの各々についての品質制御インジケータ（ＱＣＩ）を受信するための手段と、
前記ＵＥにおけるＱｏＥを改善するために前記複数のアプリケーションの各々についての前記ＱＣＩに基づいて、前記ＵＥと通信するために前記ベアラを変更するか、または追加のベアラを追加するための手段とを備える、装置。
［Ｃ３１］
複数の利用可能なＱＣＩを示す１つまたは複数の輻輳制御ポリシーを前記ＵＥに通信するための手段をさらに備える、Ｃ３０に記載の装置。
［Ｃ３２］
前記ＵＥに高負荷を示すための手段をさらに備え、前記複数のアプリケーションの各々についての前記ＱＣＩが、前記高負荷に応答して受信される、Ｃ３０に記載の装置。
［Ｃ３３］
１つまたは複数のユーザ機器（ＵＥ）についてのエクスペリエンス品質（ＱｏＥ）を改善するためのコンピュータプログラム製品であって、
少なくとも１つのコンピュータに、ＵＥから、ベアラに関係する複数のアプリケーションの各々についての品質制御インジケータ（ＱＣＩ）を受信させるためのコードと、
前記少なくとも１つのコンピュータに、前記ＵＥにおけるＱｏＥを改善するために前記複数のアプリケーションの各々についての前記ＱＣＩに基づいて、前記ＵＥと通信するために前記ベアラまたは追加のベアラを変更させるためのコードと
を備える、コンピュータ可読媒体を備える、コンピュータプログラム製品。
［Ｃ３４］
前記コンピュータ可読媒体が、前記少なくとも１つのコンピュータに、複数の利用可能なＱＣＩを示す１つまたは複数の輻輳制御ポリシーを前記ＵＥに通信させるためのコードをさらに備える、Ｃ３３に記載のコンピュータプログラム製品。
［Ｃ３５］
前記コンピュータ可読媒体が、前記少なくとも１つのコンピュータに、前記ＵＥに高負荷を示させるためのコードをさらに備え、前記複数のアプリケーションの各々についての前記ＱＣＩが、前記高負荷に応答して受信される、Ｃ３３に記載のコンピュータプログラム製品。